(57)【要約】【課題】蓄熱材を利用して電動モータの温度上昇の抑制効果を向上させると共に冷却液の温度低下を抑制することが可能な電動モータの冷却装置を提供する。【解決手段】電動モータ２の冷却装置１であって、オイルパン１０と、オイルポンプ１１と、オイルポンプ１１から吐出されたオイルを電動モータ２に導く油路１９と、オイルパン１０よりも上側に配置される蓄熱材容器１６と、蓄熱材容器１６と油路１９とを連通する蓄熱材路１５とを備える。油路１９は、オイルパン１０内に配置され、蓄熱材とオイルとで共用される共用路１３と、オイルポンプ１１から共用路１３にオイルを導く第１油路１２と、共用路１３から電動モータ２にオイルを導く第２油路１４と、共用路１３内に移動自在に設けられ、オイルと蓄熱材とを分離する隔壁部材１７と、弁体１８ｂが第２油路１４の一端部を開閉し、オイルの圧力が所定圧以上の場合に開弁するリリーフバルブ１８とを有する。【選択図】  図１
2018182854.tif 000002
【特許請求の範囲】
【請求項１】
車両に搭載される電動モータを冷却する冷却装置であって、
冷却液を貯留する冷却液貯留部と、
前記冷却液貯留部に貯留された前記冷却液を吸入し、当該吸入した冷却液を昇圧して吐出するポンプと、
前記ポンプから吐出された前記冷却液を前記電動モータに導く冷却液路と、
前記電動モータと熱交換可能に設けられ、前記車両の上下方向において前記冷却液貯留部よりも上側に配置され、蓄熱材を貯留する蓄熱材貯留部と、
前記蓄熱材貯留部と前記冷却液路とを連通する蓄熱材路と、
を備え、
前記冷却液路は、
少なくとも一部が前記冷却液貯留部に貯留された前記冷却液と熱交換可能に設けられ、一端が前記蓄熱材路に接続され、前記蓄熱材と前記冷却液との流路として共用される共用路と、
前記共用路内において移動自在に設けられ、前記蓄熱材路側の前記蓄熱材と前記ポンプから吐出された前記冷却液の流入側の前記冷却液とを分離する分離手段と、
を有することを特徴とする電動モータの冷却装置。
【請求項２】
前記分離手段は、前記共用路内において、前記冷却液と前記蓄熱材とを隔てる隔壁部材であり、
前記隔壁部材は、前記ポンプから前記共用路に吐出された前記冷却液の圧力を受けると、前記共用路内において前記蓄熱材路側に移動することを特徴とする請求項１に記載の電動モータの冷却装置。
【請求項３】
前記冷却液路に設けられ、弁体が前記冷却液路を開閉し、前記弁体で受ける前記冷却液の圧力が所定の圧力以上の場合に開弁するリリーフバルブを備えることを特徴とする請求項１又は請求項２に記載の電動モータの冷却装置。
【請求項４】
前記蓄熱材貯留部は、前記電動モータのステータを囲むように設けられることを特徴とする請求項１〜請求項３の何れか一項に記載の電動モータの冷却装置。
【請求項５】
前記蓄熱材は、潜熱蓄熱材であり、
前記潜熱蓄熱材の相変化温度は、前記電動モータの許容温度以下であることを特徴とする請求項１〜請求項４の何れか一項に記載の電動モータの冷却装置。
【発明の詳細な説明】
【技術分野】
【０００１】
本発明は、車両に搭載される電動モータの冷却装置に関する。
【背景技術】
【０００２】
近年、車両の駆動源として電動モータを備えた電気自動車やハイブリッド車両が実用化されている。車両の走行中、電動モータは、通電されると、発熱する。この発熱量の増加に伴って、電動モータの温度が上昇する。車両に搭載される電動モータは、一般に、永久磁石が用いられている。永久磁石は、温度が高くなると減磁し、ある温度（キュリー温度）を超えると消磁する。そのため、電動モータの温度が上昇すると、電動モータの機能が低下するおそれがある。そこで、電動モータを備える車両では電動モータの冷却が行われており、例えば、ポンプによって循環されるオイルを用いて電動モータが冷却される。
【０００３】
ところで、電気自動車やハイブリッド車両は、駆動源としてエンジンのみを備えた車両と比べて、エンジンの駆動時間が短く、エンジンによる発熱量が少ない（特に、電気自動車の場合にはエンジンによる発熱がない）。そのため、電気自動車やハイブリッド車両では、例えば、車両の停止中に、車両の走行中に昇温されたオイルの温度が低下するおそれがある。オイルの温度が低くなると、オイルの粘度が高くなる。高粘度のオイルが潤滑に用いられると、摩擦損失が増大し、車両の燃費が低下する。
【０００４】
そこで、車両の駆動源として電動モータを備えた車両において、オイルを用いて電動モータを冷却し、冷間時にオイルを暖める技術が提案されている。例えば、特許文献１には、電気自動車において、ポンプによってオイルが第一油路を介して変速機に圧送されると共に第二油路を介してモータに圧送され、この圧送されたオイルがモータに設けられた冷却用油路に供給され、冷却用油路から出たオイルが潜熱タンクを通過してポンプに吸入される技術が開示されている。潜熱タンクには、潜熱蓄熱材が設けられている。オイルが冷却用油路を通過する際にオイルによって電気モータが冷却され、この冷却に用いられたオイルが潜熱タンク内で放熱し、その熱が潜熱蓄熱材に蓄熱される。そして、冷間時には、オイルが潜熱タンクを通過する際に潜熱蓄熱材からオイルに対して熱が伝達され、その熱でオイルが暖められる。
【先行技術文献】
【特許文献】
【０００５】
【特許文献１】特開２０１１−２７２４６号公報
【発明の概要】
【発明が解決しようとする課題】
【０００６】
しかしながら、特許文献１に開示の技術では、潜熱タンク内の潜熱蓄熱材はオイルの昇温に利用され、電動モータの冷却は冷却用油路を通過するオイルのみで行われる。そのため、電動モータでの発熱量が増大すると、電動モータに対する冷却を十分にできず、電動モータの温度が上昇するおそれがある。このような場合、例えば、電動モータの温度が許容温度を超えないように、電動モータの使用領域が制限される。
【０００７】
本発明は、上記問題点を解消する為になされたものであり、蓄熱材を利用して電動モータの温度上昇の抑制効果を向上させると共に冷却液の温度低下を抑制することが可能な電動モータの冷却装置を提供することを目的とする。
【課題を解決するための手段】
【０００８】
本発明に係る電動モータの冷却装置は、車両に搭載される電動モータを冷却する冷却装置であって、冷却液を貯留する冷却液貯留部と、冷却液貯留部に貯留された冷却液を吸入し、当該吸入した冷却液を昇圧して吐出するポンプと、ポンプから吐出された冷却液を電動モータに導く冷却液路と、電動モータと熱交換可能に設けられ、車両の上下方向において冷却液貯留部よりも上側に配置され、蓄熱材を貯留する蓄熱材貯留部と、蓄熱材貯留部と冷却液路とを連通する蓄熱材路と、を備え、冷却液路は、少なくとも一部が冷却液貯留部に貯留された冷却液と熱交換可能に設けられ、一端が蓄熱材路に接続され、蓄熱材と冷却液との流路として共用される共用路と、共用路内において移動自在に設けられ、蓄熱材路側の蓄熱材とポンプから吐出された冷却液の流入側の冷却液とを分離する分離手段と、を有することを特徴とする。
【０００９】
本発明に係る電動モータの冷却装置では、ポンプが駆動されると、ポンプから吐出された冷却液が冷却液路を介して電動モータに供給され、冷却液によって電動モータが冷却される。さらに、本発明に係る電動モータの冷却装置では、ポンプが駆動されると、共用路内においてポンプから吐出された冷却液の圧力を分離手段で受け、この分離手段を介した冷却液の圧力により蓄熱材が共用路から蓄熱材路を介して蓄熱材貯留部に移送され、電動モータで発生した熱が蓄熱材に蓄えられる。これにより、本発明に係る電動モータの冷却装置によれば、蓄熱材を電動モータまで移送して、冷却液に加えて蓄熱材によって電動モータを冷却することにより、電動モータの温度上昇の抑制効果を向上させることができる。電動モータの温度上昇が抑制されることで、電動モータの使用領域を拡大することができる。
【００１０】
また、本発明に係る電動モータの冷却装置では、冷却液貯留部よりも上側に蓄熱材貯留部が配置されているので、ポンプが停止されると、蓄熱材の自重により、蓄熱材貯留部から蓄熱材路を介して共用路に蓄熱材が戻る。この共用路に戻った蓄熱材に蓄えられた熱が、冷却液貯留部内に貯留された冷却液に放出される。これにより、本発明に係る電動モータの冷却装置によれば、冷却液貯留部内の冷却液と熱交換可能に設けられた共用路内の蓄熱材に蓄えられた熱により、冷却液の温度低下を抑制することができる。冷却液の温度低下が抑制されることで、車両における摩擦損失を低減でき、車両の燃費を向上させることができる。
【００１１】
さらに、本発明に係る電動モータの冷却装置では、共用路内において分離手段によって冷却液と蓄熱材とが分離されており、蓄熱材が冷却液に混ざって流れることがないので、蓄熱材がポンプ内に入ることを防止することができる。
【００１２】
本発明に係る電動モータの冷却装置では、分離手段は、共用路内において、冷却液と蓄熱材とを隔てる隔壁部材であり、隔壁部材は、ポンプから共用路に吐出された冷却液の圧力を受けると、共用路内において蓄熱材路側に移動することが好ましい。このように構成することで、隔壁部材により共用路内で冷却液と蓄熱材とを分離することができると共に、共用路内においてポンプから吐出された冷却液の圧力を隔壁部材を介して蓄熱材が受けることができる。
【００１３】
本発明に係る電動モータの冷却装置では、冷却液路に設けられ、弁体が冷却液路を開閉し、弁体で受ける冷却液の圧力が所定の圧力以上の場合に開弁するリリーフバルブを備えることが好ましい。このように構成することで、リリーフバルブが開弁すると、冷却液路を介して冷却液が電動モータに供給されるので、冷却液により電動モータを冷却することができる。
【００１４】
本発明に係る電動モータの冷却装置では、蓄熱材貯留部は、電動モータのステータを囲むように設けられることが好ましい。このように構成することで、蓄熱材貯留部に蓄熱材が移送されると、蓄熱材貯留部（蓄熱材）がステータを囲むように配置されているので、電動モータを効率良く冷却することができる。
【００１５】
本発明に係る電動モータの冷却装置では、蓄熱材は、潜熱蓄熱材であり、潜熱蓄熱材の相変化温度は、電動モータの許容温度以下であることが好ましい。このように構成することで、潜熱蓄熱材が相変化温度において相変化することにより、電動モータの温度が許容温度以上に上昇することを抑えることができる。
【発明の効果】
【００１６】
本発明によれば、蓄熱材を利用して電動モータの温度上昇の抑制効果を向上させると共に冷却液の温度低下を抑制することが可能となる。
【図面の簡単な説明】
【００１７】
【図１】実施形態に係る電動モータの冷却装置の構成を模式的に示す図（オイルポンプ停止時）である。
【図２】実施形態に係る電動モータの冷却装置の構成を模式的に示す図（オイルポンプ駆動時）である。
【発明を実施するための形態】
【００１８】
以下、図面を参照して本発明の好適な実施形態について詳細に説明する。なお、図中、同一又は相当部分には同一符号を用いることとする。また、各図において、同一要素には同一符号を付して重複する説明を省略する。
【００１９】
図１及び図２を参照して、実施形態に係る電動モータの冷却装置１（以下では、「冷却装置１」と記載）について説明する。図１は、実施形態に係る冷却装置１の構成を模式的に示す図（オイルポンプ停止時）である。図２は、実施形態に係る冷却装置１の構成を模式的に示す図（オイルポンプ駆動時）である。
【００２０】
冷却装置１は、電動モータ２を冷却する装置である。電動モータ２は、車両の駆動源である。車両は、例えば、電気自動車、ハイブリッド車両である。
【００２１】
電動モータ２は、電動機として機能し、発電機としても機能する。電動モータ２は、例えば、三相交流タイプのモータ・ジェネレータである。電動モータ２は、環状のステータと、ステータの内側に回転自在に収容されたロータとを有している。電動モータ２は、永久磁石を備えており、例えば、ロータに永久磁石が用いられる。電動モータ２には、許容温度が設定されている。この許容温度は、永久磁石のキュリー温度などに基づいて設定され、例えば、１００〜２００℃である。なお、電動モータ２は、車両の加速時などに供給される電力に応じて回転駆動しているときや車両の減速時に回生で発電しているときに発熱する。
【００２２】
車両には、電動モータ２を少なくとも含む駆動源で発生した動力を駆動輪に伝達するために、各種ギヤが設けられている。電気自動車の場合、例えば、減速機を備えており、電動モータ２で発生した動力が減速機などを介して駆動輪に伝達される。この減速機は、例えば、電動モータ２の出力軸に取り付けられるドライブギヤと、このドライブギヤに噛み合うドリブンギヤとを備える。ハイブリッド車両の場合、例えば、動力分割機構を備えている。この動力伝達機構は、例えば、リングギヤ、ピニオンギヤ、サンギヤ及びプラネタリキャリアによって構成され、リングギヤに電動モータ２と駆動輪に連結されるドライブトレーンが接続され、サンギヤに発電機が接続され、プラネタリキャリアにエンジンが接続され、エンジンで発生した駆動力をドライブトレーンと発電機とに分割して伝達する。
【００２３】
これらの車両の各種ギヤは、オイルによって潤滑される。また、動力を伝達する動力伝達軸を支持するベアリングなども、オイルによって潤滑される。これらの各種部材が、特許請求の範囲に記載にする被潤滑部に相当する。これらの被潤滑部や電動モータ２は、同じケース（図示省略）内に収容されている。
【００２４】
冷却装置１は、この潤滑にも用いられるオイル（特許請求の範囲に記載の冷却液に相当）に加えて、蓄熱材を用いて電動モータ２を冷却する。そのために、冷却装置１は、オイルパン１０（特許請求の範囲に記載の冷却液貯留部に相当）と、オイルポンプ１１（特許請求の範囲に記載のポンプに相当）と、第１油路１２と、共用路１３と、第２油路１４と、蓄熱材路１５と、蓄熱材容器１６（特許請求の範囲に記載の蓄熱材貯留部に相当）と、隔壁部材１７と、リリーフバルブ１８と、を備えている。第１油路１２、共用路１３及び第２油路１４により、オイルポンプ１１から吐出されたオイルを電動モータ２に導く油路１９（特許請求の範囲に記載の冷却液路に相当）が構成される。この油路１９には、隔壁部材１７及びリリーフバルブ１８が設けられる。なお、冷却装置１は、例えば、ハイブリッド車両に搭載される場合、上述した発電機の冷却も行うものでもよい。
【００２５】
オイルパン１０は、オイルを貯留する部材である。オイルパン１０は、上述したケースの底部に配置されている。オイルパン１０は、車両の上下方向において電動モータ２（蓄熱材容器１６）の下側に配置されている。
【００２６】
オイルポンプ１１は、オイルパン１０に貯留されているオイルを吸入し、吸入したオイルを昇圧して吐出するポンプである。オイルポンプ１１の吐出部（吐出口）には、第１油路１２が接続されている。オイルポンプ１１は、例えば、オイルパン１０よりも上側に配置され、オイルパン１０に貯留されているオイルを吸入油路１１ａを介して吸い上げ、第１油路１２に吐出する。オイルポンプ１１は、機械式のオイルポンプでもよいし、あるいは、電動式のオイルポンプでもよい。機械式のオイルポンプの場合、例えば、駆動源で発生した動力を伝達する動力伝達軸にギヤを介して連結されることで駆動される。電動式のオイルポンプの場合、電動モータを備えており、電動モータによって駆動される。オイルポンプ１１は、例えば、車両の走行時に駆動され、車両の停止時に停止される。なお、オイルポンプ１１に吸入されるオイルは、ストレーナを介して吸入されると好ましい。ストレーナは、例えば、吸入油路１１ａの一端に接続され、オイルパン１０に貯留されているオイル中に埋没するように、配置される。
【００２７】
第１油路１２は、オイルポンプ１１から吐出されたオイルを共用路１３に導く油路である。第１油路１２の一端は、上述したように、オイルポンプ１１に接続されている。第１油路１２の他端は、共用路１３に接続されている。なお、第１油路１２には、オイルポンプ１１の停止中には共用路１３から流入するオイルをオイルパン１０に逃し、オイルポンプ１１の駆動中（吐出圧の発生中）にはオイルをオイルパン１０に逃さずに共用路１３に導くために、例えば、油圧に応じて開閉するバルブが設けられている。
【００２８】
共用路１３は、隔壁部材１７によって分離されたオイルと蓄熱材とで共用される流路である。共用路１３は、オイルパン１０に貯留されているオイルと熱交換可能となるように、流路の大部分がオイル中に埋没するように、配置される。共用路１３は、例えば、オイルパン１０の全域にわたって配置されると好ましい。共用路１３の一端は、上述したように、第１油路１２に接続されている。共用路１３の他端は、蓄熱材路１５に接続されている。この蓄熱材部１５に接続される共用路１３の他端部には、リリーフバルブ１８が設けられている。共用路１３を形成する管の径は、第１油路１２を形成する管の径及び蓄熱材路１５を形成する管の径よりも大きい。
【００２９】
第２油路１４は、共用路１３から電動モータ２にオイルを導く油路である。第２油路１４には、リリーフバルブ１８が開弁したときに、共用路１３を介してオイルが供給される。第２油路１４の一端は、リリーフバルブ１８に接続されている。第２油路１４の他端は、例えば、電動モータ２に設けられた蓄熱材容器１６の周りにオイルを排出する箇所に配置される。
【００３０】
蓄熱材路１５は、共用路１３と蓄熱材容器１６とを連通する蓄熱材の流路である。蓄熱材路１５は、オイルポンプ１１の駆動時には共用路１３から押し出された蓄熱材を蓄熱材容器１６に導き、オイルポンプ１１の停止時には蓄熱材容器１６から落ちる蓄熱材を共用路１３に導く。蓄熱材路１５の一端は、上述したように、共用路１３に接続されている。蓄熱材路１５の他端は、蓄熱材容器１６における下端部の所定の箇所に接続されている。
【００３１】
蓄熱材容器１６は、電動モータ２に設けられ、蓄熱材を貯留する容器である。蓄熱材容器１６は、電動モータ２と熱交換可能となるように設けられ、例えば、電動モータ２のステータを囲むように設けられる。蓄熱材容器１６は、例えば、円筒形状に形成された二重管式の容器である。蓄熱材容器１６の下端部には、上述したように、蓄熱材路１５が接続されている。
【００３２】
なお、蓄熱材路１５内の容量と蓄熱材容器１６内の容量と合わせた容量と、共用路１３内の容量とが略同じになるように、蓄熱材路１５、蓄熱材容器１６及び共用路１３が構成されると好ましい。
【００３３】
隔壁部材１７は、共用路１３内において移動自在（可動式）であり、共用路１３内において第１油路１２側と蓄熱材路１５側とに仕切ることで冷却液と蓄熱材とを隔てる部材である。隔壁部材１７は、共用路１３内に設けられ、共用路１３内をピストンのように摺動する。隔壁部材１７は、オイルポンプ１１の駆動時、オイルポンプ１１から吐出されたオイルの圧力を受けると、共用路１３内を蓄熱材路１５側に移動する。隔壁部材１７は、オイルポンプ１１の停止時、蓄熱材の自重により蓄熱材路１５を介して下方に落ちてくる蓄熱材の圧力を受けると、共用路１３内を第１油路１２側に移動する。
【００３４】
隔壁部材１７の断面形状は、共用路１３の断面形状（例えば、円形状）と同じ形状である。隔壁部材１７は、所定の厚みを有している。隔壁部材１７の径は、共用路１３を形成する管の径と略同じである。隔壁部材１７は、共用路１３内において蓄熱材とオイルとを分離する（蓄熱材がオイル側に浸入せずかつオイルが蓄熱材側に侵入しない）ように構成されている。
【００３５】
リリーフバルブ１８は、弁体１８ｂで受けるオイルの圧力が所定圧以上になるとオイルを共用路１３から第２油路１４に逃すスプリング式のメカニカルバルブである。リリーフバルブ１８は、オイルの圧力が所定圧未満のときには閉弁して第２油路１４と共用路１３とを非連通状態とし、オイルの圧力が所定圧以上になると開弁して第２油路１４と共用路とを連通状態とする。所定圧は、例えば、オイルポンプ１１の仕様（最大吐出圧など）に基づいて設定される。リリーフバルブ１８は、共用路１３における蓄熱材路１５側の端部に設けられる。リリーフバルブ１８は、弁ハウジング１８ａと、弁体１８ｂと、スプリング１８ｃとを有している。
【００３６】
弁ハウジング１８ａは、共用路１３に交差するように配置され、共用路１３の蓄熱材路１５側の端部に取り付けられている。弁ハウジング１８ａは、例えば、一端部が閉じられた円筒形状に形成されており、内部に弁孔１８ｄを有している。弁ハウジング１８ａの一端部は、固定端面１８ｅとなっている。弁ハウジング１８ａの他端部は、開口され、共用路１３に連通されている。弁ハウジング１８ａの側面の所定の箇所には、第２油路１４の一端部が取り付けられている。
【００３７】
弁体１８ｂは、弁ハウジング１８ａの弁孔１８ｄに往復動自在に収容されている。弁体１８ｂは、第二油路１４の一端部を開閉する弁体であり、この一端部を開閉可能な形状を有している。
【００３８】
スプリング１８ｃは、弁ハウジング１８ａの弁孔１８ｄに収容されている。スプリング１８ｃの一端は、弁ハウジング１８ａの固定端面１８ｅに取り付けられている。スプリング１８ｃの他端は、弁体１８ｂに取り付けられている。スプリング１８ｃは、弁体１８ｂを共用路１３側の方向に付勢するスプリングであり、弁体１８ｂで受ける圧力に応じて伸縮する。
【００３９】
リリーフバルブ１８では、弁体１８ｂで受けるオイルの圧力とスプリング１８ｃの弾性力とのバランスに応じて、弁体１８ｂが弁ハウジング１８ａ内を移動する。特に、リリーフバルブ１８は、オイルの圧力が所定圧未満のときには、図１に示すように、弁体１８ｂが第２油路１４の一端部の箇所に位置（つまり、閉弁）するようにチューニングされている。また、リリーフバルブ１８は、オイルの圧力が所定圧以上になると、図２に示すように、スプリング１８ｃが縮み、弁体１８ｂが第２油路１４の一端部よりも固定端面１８ｅ側に位置（つまり、開弁）するようにチューニングされている。このチューニングは、スプリング１８ｃの弾性力の大きさ、弁体１８ｂの受圧面積などを調整することで行われる。
【００４０】
蓄熱材は、熱（特に、電動モータ２で発生した熱）を蓄え、蓄えた熱を放出する（特に、オイルに放出する）物質である。蓄熱材は、蓄熱材路１５を介して共用路１３と蓄熱材容器１６との間を移動する。蓄熱材は、オイルポンプ２の停止時には共用路１３内に貯留され、オイルポンプ２の駆動時には蓄熱材容器１６内に貯留される。蓄熱材の量は、例えば、共用路１３内の容量（蓄熱材路１５内の容量と蓄熱材容器１６内の容量と合わせた容量）と略同じ量である。蓄熱材は、例えば、物質の相変化に伴う転移熱（潜熱）を利用した潜熱蓄熱材である。蓄熱材としては、例えば、潜熱蓄熱材の相変化温度が電動モータ２の許容温度以下となる潜熱蓄熱材が適用される。適用される潜熱蓄熱材は、例えば、８０〜１２０℃の範囲内で相変化温度を持つ潜熱蓄熱材である。このように、冷却装置１で用いられる蓄熱材により、所定の設定温度（例えば、相変化温度）が設けられ、蓄熱材による吸熱が可能な間、この設定温度で温度を保持することができる。
【００４１】
なお、オイルによる被潤滑部の潤滑は、例えば、オイルポンプ１１から吐出されたオイルを被潤滑部に導く油路が設けられ、この油路により被潤滑部にオイルが供給されることで行われる。あるいは、この潤滑は、例えば、被潤滑部であるギヤがオイルに浸漬され、このギヤの回転によってオイルが掻き上げられて飛散することで行われる。
【００４２】
図１及び図２を参照し、冷却装置１の動作の流れを説明する。なお、図１及び図２では、蓄熱材を黒塗りで示し、オイルをドットで示す（オイルパン１０内に貯留されているオイルを除く）。
【００４３】
車両の走行中、オイルポンプ１１が駆動される。オイルポンプ１１では、オイルパン１０に貯留されているオイルを吸入し、吸入したオイルを昇圧して第１油路１２に吐出する。吐出されたオイルは、第１油路１２を介して、共用路１３に供給される。共用路１３内では、隔壁部材１７がオイルポンプ１１から吐出されたオイルの圧力を受ける。このオイルの圧力により、隔壁部材１７は、蓄熱材路１５側に移動する。
【００４４】
このオイルの圧力による隔壁部材１７の移動に伴って、蓄熱材は、オイルの圧力を受ける隔壁部材１７を介して蓄熱材路１５側に押され、共用路１３から蓄熱材路１５に入る。そして、蓄熱材は、上方に押し上げられ、蓄熱材路１５を介して蓄熱材容器１６内に入る。やがて、隔壁部材１７は、共用路１３の蓄熱材路１５側の端部に到達する。この際、蓄熱材路１５の径が共用路１３の径よりも小さいので、隔壁部材１７は、共用路１３の蓄熱材路１５側の端部で止まる。図２に示すように、蓄熱材は、全て、共用路１３から蓄熱材路１５及び蓄熱材容器１６に移される。蓄熱材容器１６には、蓄熱材が貯留される。一方、共用路１３は、オイルで満たされている。
【００４５】
車両の走行中、例えば、電動モータ２は、通電されると、ロータが回転し、動力を発生する。このとき、電動モータ２は、発熱する。電動モータ２のステータの周囲に配置された蓄熱材容器１６内には蓄熱材が貯留されているので、電動モータ２で発生した熱は、蓄熱材に吸熱されて、蓄熱材に蓄えられる。これにより、電動モータ２の温度上昇が抑えられる。特に、蓄熱材容器１６内に貯留される蓄熱材による吸熱が可能な間、蓄熱材による設定温度（例えば、相変化温度）で温度が保持されるので、電動モータ２の温度がその設定温度以上に上昇するのを抑制することができる。
【００４６】
弁体１８ｂで受ける共用部１３内のオイルの圧力が所定圧以上になると、図２に示すように、リリーフバルブ１８では、スプリング１８ｃが縮み、開弁する。これにより、第２油路１４と共用路１３とが連通し、オイルポンプ１１から吐出されたオイルが共用路１３から第２油路１４に入る。オイルは、第２油路１４を介して、電動モータ２（特に、蓄熱材容器１６の周り）に供給される。電動モータ２は、このオイルにより冷却される。このオイルは、流れ落ちて、オイルパン１０内に戻る。
【００４７】
車両が停止すると、オイルポンプ１１が停止される。オイルポンプ１１では、オイルの吸入及び吐出を停止する。したがって、共用路１３には、第１油路１２を介して、オイルが供給されない。これにより、共用路１３内では、隔壁部材１７にオイルの圧力が作用しなくなる。蓄熱材容器１６はオイルパン１０（共用路１３）よりも上側に配置されているので、蓄熱材容器１６に貯留されている蓄熱材は、自重により、蓄熱材路１５を介して下方に落ちる。この蓄熱材の圧力を受けて、共用路１３内では、隔壁部材１７が第１油路１２側に移動する。この際、共用部１３内のオイルの圧力が所定圧未満となり、図１に示すように、リリーフバルブ１８では、スプリング１８ｃが伸び、閉弁する。これにより、第２油路１４と共用路１３とが、非連通状態となる。
【００４８】
蓄熱材の自重による隔壁部材１７の移動に伴って、蓄熱材は、蓄熱材路１５から共用路１３に入る。やがて、隔壁部材１７は、共用路１３の第１油路１２側の端部に到達する。この際、第１油路１２の径が共用路１３の径よりも小さいので、隔壁部材１７は、共用路１３の第１油路１２側の端部で止まる。図１に示すように、蓄熱材は、共用路１３に戻る。したがって、共用路１３は、蓄熱材で満たされている。なお、隔壁部材１７の移動に伴って、共用路１３から第１油路１２に入ったオイルは、第１油路１２からオイルパン１２内に排出される。
【００４９】
オイルパン１０内に配置された共用路１３には蓄熱された蓄熱材が戻っているので、オイルパン１０内のオイルは、蓄熱材から放出された熱を受ける。これにより、車両の走行中に昇温されたオイルの温度低下が抑えられる。特に、共用路１３に貯留される蓄熱材による放熱が可能な間、蓄熱材による設定温度で温度が保持されるので、オイルの温度がその設定温度以下に低下するのを抑制することができる。
【００５０】
実施形態に係る冷却装置１によれば、車両の走行中（特に、オイルポンプ１１の駆動中）に、蓄熱材を電動モータ２の近傍まで移送して、オイルに加えて蓄熱材を利用して電動モータ２を冷却することにより、電動モータ２の温度上昇の抑制効果を向上させることができる。電動モータ２の温度上昇が抑制されることで、電動モータ２の使用領域を拡大することができ、車両の走行性能を向上させることができる。また、オイルに加えて蓄熱材も用いて電動モータ２の冷却を行うので、オイルを吐出するオイルポンプ１１の容量を低減することができる。
【００５１】
実施形態に係る冷却装置１によれば、電動モータ２の排熱を蓄熱材に蓄え、車両の停止中（特に、オイルポンプ１１の停止中）に、蓄熱材を共用路１３に戻すことにより、蓄熱材に蓄えられた熱によりオイルの温度低下を抑制することができる。これにより、オイルの粘度が高くなるのを抑制でき、低粘度のオイルがギヤなどの潤滑に用いられることで、摩擦損失を低減でき、車両の燃費を向上させることができる。
【００５２】
実施形態に係る冷却装置１によれば、共用路１３内に隔壁部材１７を設けることにより、共用路１３内において隔壁部材１７によってオイルと蓄熱材とを分離でき、蓄熱材がオイルに混ざって流れないので、蓄熱材がオイルポンプ１１内に入ることを防止することができる。蓄熱材とオイルとが完全に分離されているので、蓄熱材のオイルに対する親和性を考慮する必要がないので、蓄熱材の選択など、設計の自由度が向上する。ちなみに、オイルポンプ１１内に蓄熱材が入った場合、オイルポンプ１１での損失が大きくなったり、例えば、固体に変化した蓄熱材によってオイルポンプ１１の吐出不良が発生したりするおそれがある。
【００５３】
実施形態に係る冷却装置１によれば、共用路１３と第二油路１４に対してリリーフバルブ１８を設けることにより、オイルポンプ１１から吐出されるオイルの圧力によってリリーフバルブ１８が開弁すると、共用路１３と第二油路１４とを連通でき、オイルを第二油路１３を介して電動モータ２に供給することができる。これにより、オイルポンプ１１の駆動中に、オイルによって電動モータ２を冷却することができる。
【００５４】
実施形態に係る冷却装置１によれば、蓄熱材として電動モータ２の許容温度以下の相変化温度を持つ潜熱蓄熱材を用いることにより、電動モータ２の温度が許容温度以上に上昇することを抑制することができる。
【００５５】
実施形態に係る冷却装置１によれば、蓄熱材容器１６が電動モータ２のステータの周囲に配置されているので、蓄熱材容器１６に貯留された蓄熱材により電動モータ２を効率良く冷却することができる。
【００５６】
以上、本発明の実施の形態について説明したが、本発明は、上記実施形態に限定されるものではなく種々の変形が可能である。例えば、上記実施形態では電動モータ２の冷却とギヤなどの潤滑を行う場合に適用したが、電動モータ２の冷却のみを行う場合に適用してもよい。
【００５７】
上記実施形態では冷却液としてギヤなどの潤滑用のオイルを用いる構成としたが、冷却液としては冷却水などを用いる構成としてもよい。冷却水を用いる場合、車両の停止中に蓄熱材に蓄えられた熱により冷却水の温度低下を抑制することができる。
【００５８】
上記実施形態では共用路１３はその一部がオイルパン１０に貯留されているオイル中に埋設するように配置される構成としたが、共用路はオイルパンに貯留されているオイルと熱交換可能になっていればよく、例えば、共用路をオイルパンの周囲や下方に配置し、共用路をオイルパンと直接接触するように取り付ける構成としてもよいし、あるいは、共用路を伝熱部材を介してオイルパンに取り付ける構成としてもよい。
【００５９】
上記実施形態では蓄熱材容器１６は電動モータ２のステータを囲むように設けられる構成としたが、蓄熱材容器は電動モータと熱交換可能になっていればよく、例えば、蓄熱材容器を電動モータの近傍に配置し、蓄熱材容器を伝熱部材を介して電動モータに取り付ける構成としてもよい。
【符号の説明】
【００６０】
１  冷却装置
２  電動モータ
１０  オイルパン
１１  オイルポンプ
１２  第１油路
１３  共用路
１４  第２油路
１５  蓄熱材路
１６  蓄熱材容器
１７  隔壁部材
１８  リリーフバルブ
１８ａ  弁ハウジング
１８ｂ  弁体
１８ｃ  スプリング
１９  油路
【図１】
2018182854.tif 000003
【図２】
2018182854.tif 000004